(57)【要約】【課題】ちらつきを改善する。【解決手段】表示装置は、画像を表示する表示部と、表示部に光を照射する照明部と、複数の単位領域を有する視差調整部と、利用者の位置に関する入力情報に応じて視差調整部に含まれる複数の単位領域について照明部からの光を透過する透過状態と該光を遮断する遮断状態とのいずれか一方に設定する第１制御部とを含み、第１制御部は、単位領域が透過状態から遮断状態への遷移を開始してから所定時間内は、照明部を消灯する。【選択図】図１
2015225175.tif 000002
【特許請求の範囲】
【請求項１】
画像を表示する表示部と、
前記表示部に光を照射する照明部と、
複数の単位領域を有する視差調整部と、
利用者の位置に関する入力情報に応じて前記視差調整部に含まれる複数の前記単位領域について前記照明部からの光を透過する透過状態と該光を遮断する遮断状態とのいずれか一方に設定する第１制御部と、
を含み、
前記第１制御部は、前記単位領域が前記透過状態から前記遮断状態への遷移を開始してから所定時間内は、前記照明部を消灯する、
表示装置。
【請求項２】
画像を表示する表示部と、
前記表示部に光を照射する照明部と、
複数の単位領域を有する視差調整部と、
利用者の位置に関する入力情報に応じて前記視差調整部に含まれる複数の前記単位領域について前記照明部からの光を透過する透過状態と該光を遮断する遮断状態とのいずれか一方に設定する第１制御部と、
前記利用者の位置に関する入力情報を取得する第２制御部と、
を含み、
前記第１制御部は、前記第２制御部から前記利用者の位置に関する入力情報を取得するとともに、前記単位領域が前記透過状態から前記遮断状態への遷移を開始してから所定時間内は、前記照明部を消灯する、
表示装置。
【請求項３】
前記第１制御部は、
前記単位領域が前記遮断状態から前記透過状態への遷移を開始してから所定時間内において前記照明部を消灯するように制御する際、前記単位領域の透過率が変化して元に戻る場合に、その変化前後の透過率に対する、変化している時の透過率の変動割合に基づいて、前記所定時間が設定された、
請求項１または請求項２に記載の表示装置。
【請求項４】
前記表示部は、
複数のフレームを含む画像を表示し、
前記第１制御部は、
前記単位領域について前記透過状態と前記遮断状態とのいずれかへの設定の変更を、前記画像のフレームが切り替わる際に行う、
請求項１から請求項３のいずれか１項に記載の表示装置。
【請求項５】
前記第１制御部は、
前記右眼及び左眼の位置の変化を検出した場合において、表示装置と前記右眼及び左眼の位置との距離が所定範囲内であれば、前記右眼及び左眼の位置の変化前後において前記複数の単位領域による前記光の透過率が一定になるように、前記単位領域を前記透過状態と前記遮断状態とのいずれか一方に設定する、
請求項１から請求項３のいずれか１項に記載の表示装置。
【請求項６】
前記利用者の位置に関する入力情報は、前記利用者の顔に関する位置を示す情報である、
請求項１から請求項５のいずれか１項に記載の表示装置。
【請求項７】
前記利用者の位置に関する入力情報は、前記利用者の左眼及び右眼の位置を示す情報である、
請求項１から請求項５のいずれか１項に記載の表示装置。
【請求項８】
前記利用者の左眼及び右眼の位置に応じて、前記表示部に表示される右眼用画像の画素及び左眼用画像の画素の画素表示を決定する、
請求項７に記載の表示装置。
【請求項９】
画像を表示する表示部と、
前記表示部に光を照射する照明部と、
複数の単位領域を有する視差調整部と、
利用者の位置に関する入力情報に応じて前記視差調整部に含まれる複数の前記単位領域について前記照明部からの光を透過する透過状態と該光を遮断する遮断状態とのいずれか一方に設定する第１制御部と、
前記利用者の位置に関する入力情報を取得する第２制御部と、
を含み、
前記第１制御部は、前記第２制御部から前記利用者の位置に関する入力情報を取得するとともに、前記単位領域が前記透過状態から前記遮断状態への遷移を開始してから所定時間内は、前記照明部を消灯する、
表示システム。
【発明の詳細な説明】
【技術分野】
【０００１】
本開示は、画像を表示する表示装置及び表示システムに関する。
【背景技術】
【０００２】
近年、表示装置は、画質や消費電力などの観点から、液晶表示装置、プラズマ表示装置、有機ＥＬ表示装置などの様々な種類のものが開発されており、それらの特性に応じて、据置型の表示装置の他、携帯電話、携帯型情報端末など、様々な電子機器に適用されている。
【０００３】
表示装置には、両眼の視差を利用し、立体表示を実現する装置がある。このような表示装置には、利用者の両眼の位置を検出して制御を行う、両眼視差バリア方式のアイトラッキング対応の表示装置がある。
【先行技術文献】
【特許文献】
【０００４】
【特許文献１】特開２００５−１５７０３３号公報
【発明の概要】
【発明が解決しようとする課題】
【０００５】
ところで、両眼視差バリア方式のアイトラッキング対応の表示装置において、トラッキング時の輝度変化がちらつきとして視認されることがある。ちらつきは、液晶の立ち上がりの速度と立ち下がりの速度とが異なることが原因である。
【０００６】
本開示は、ちらつきを改善できる表示装置及び表示システムを提供することを目的とする。
【課題を解決するための手段】
【０００７】
本発明の一態様による表示装置は、画像を表示する表示部と、前記表示部に光を照射する照明部と、複数の単位領域を有する視差調整部と、利用者の位置に関する入力情報に応じて前記視差調整部に含まれる複数の前記単位領域について前記照明部からの光を透過する透過状態と該光を遮断する遮断状態とのいずれか一方に設定する第１制御部と、を含み、前記第１制御部は、前記単位領域が前記透過状態から前記遮断状態への遷移を開始してから所定時間内は、前記照明部を消灯する。
【０００８】
本発明の他の態様による表示装置は、画像を表示する表示部と、前記表示部に光を照射する照明部と、複数の単位領域を有する視差調整部と、利用者の位置に関する入力情報に応じて前記視差調整部に含まれる複数の前記単位領域について前記照明部からの光を透過する透過状態と該光を遮断する遮断状態とのいずれか一方に設定する第１制御部と、前記利用者の位置に関する入力情報を取得する第２制御部と、を含み、前記第１制御部は、前記第２制御部から前記利用者の位置に関する入力情報を取得するとともに、前記単位領域が前記透過状態から前記遮断状態への遷移を開始してから所定時間内は、前記照明部を消灯する。
【０００９】
本発明の一態様による表示システムは、画像を表示する表示部と、前記表示部に光を照射する照明部と、複数の単位領域を有する視差調整部と、利用者の位置に関する入力情報に応じて前記視差調整部に含まれる複数の前記単位領域について前記照明部からの光を透過する透過状態と該光を遮断する遮断状態とのいずれか一方に設定する第１制御部と、前記利用者の位置に関する入力情報を取得する第２制御部と、を含み、前記第１制御部は、前記第２制御部から前記利用者の位置に関する入力情報を取得するとともに、前記単位領域が前記透過状態から前記遮断状態への遷移を開始してから所定時間内は、前記照明部を消灯する。
【図面の簡単な説明】
【００１０】
【図１】図１は、表示装置を含む表示システムの一構成例を表すブロック図である。
【図２】図２は、表示装置の照明部と表示部とバリア部の構成の一例を示す斜視図である。
【図３】図３は、表示部の画素とバリア部の単位領域との関係を示す斜視図である。
【図４】図４は、表示部及びバリア部を実装したモジュールの概略断面構造を表す断面図である。
【図５】図５は、表示部の画素配列の一例を表す回路図である。
【図６】図６は、カラー表示における画素の模式図である。
【図７】図７は、モノクロ表示における画素の模式図である。
【図８】図８は、制御部による制御方法の概念を示す図である。
【図９】図９は、表示部に表示される右眼用画像の画素及び左眼用画像の画素の画素表示の一例を示す図である。
【図１０】図１０は、利用者の左眼により視認される視認範囲の一部を示す図である。
【図１１】図１１は、利用者の右眼により視認される視認範囲の一部を示す図である。
【図１２】図１２は、制御部による右眼用画像の画素及び左眼用画像の画素の画素表示の変更例を示す図である。
【図１３】図１３は、制御部による制御の流れを示すフローチャートである。
【図１４】図１４は、バリア部の構成例を示す図である。
【図１５】図１５は、トラッキングを行った場合のバリア部の断面の一例を模式的に示す図である。
【図１６】図１６は、トラッキングを行う際の表示装置全体での透過率の変化の測定例を示す図である。
【図１７】図１７は、本実施形態による、輝度変化によるちらつきの視認への対策を示す図である。
【図１８】図１８は、ちらつきが視認されないように、照明部を消灯してから点灯するまでの時間を決定するための説明図である。
【図１９】図１９は、本実施形態における、表示装置による表示内容と照明部の状態との関係などを示す図である。
【図２０】図２０は、本実施形態における制御部による照明部の制御処理を示すフローチャートである。
【図２１】図２１は、本実施形態に係る表示装置を適用する電子機器の一例を示す図である。
【図２２】図２２は、本実施形態に係る表示装置を適用する電子機器の一例を示す図である。
【発明を実施するための形態】
【００１１】
以下に、本発明の各実施の形態について、図面を参照しつつ説明する。
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
また、本明細書と各図において、既出の図に関して前述したものと同様の要素には、同一の符号を付して、詳細な説明を適宜省略することがある。
【００１２】
なお、説明は以下の順序で行う。
１．実施形態
２．適用例
【００１３】
［１．実施形態］
本実施形態に係る表示装置は、例えば、表示部に積層されるバリア部を制御することにより、三次元画像を表示させる表示装置に適用することができる。表示装置の表示部としては、例えば、液晶表示（ＬＣＤ）パネル、有機ＥＬ（Ｅｌｅｃｔｒｏ−Ｌｕｍｉｎｅｓｃｅｎｃｅ）パネル、ＭＥＭＳ（Ｍｉｃｒｏ  Ｅｌｅｃｔｒｏ  Ｍｅｃｈａｎｉｃａｌ  Ｓｙｓｔｅｍｓ）などがある。以下は、横電界モードの液晶表示パネルを用いる場合について説明するが、縦電界モードの液晶表示パネルを用いてもよい。
【００１４】
本実施形態に係る表示装置は、モノクロ表示対応の表示装置及びカラー表示対応の表示装置のいずれにも適用できる。カラー表示対応の表示装置とした場合、カラー画像を形成する単位となる１つの画素（単位画素）が、複数の副画素（サブピクセル）を含むことになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素及び青色（Ｂｌｕｅ；Ｂ）を表示する副画素の３つの副画素を含む。
【００１５】
１つの画素は、ＲＧＢの３原色の副画素の組み合わせに限定されず、ＲＧＢの３原色の副画素に更に１色又は複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００１６】
（構成）
図１は、本実施形態に係る表示装置１を含む表示システム１００の機能構成の一例を示すブロック図である。図２は、図１に示す表示装置の照明部、表示部及びバリア部の構成の一例を示す斜視図である。図３は、表示部の画素とバリア部の単位領域との関係を示す斜視図である。図２及び図３は模式的に表したものであり、実際の寸法、形状と同一とは限らない。図１に示す表示装置１は、例えば、本開示の表示装置の一例である。図１に示すバリア部６は、本開示の視差調整部の一例である。
【００１７】
表示装置１は、例えば、所定位置から画面を見ている利用者が裸眼で三次元画像を認識できる画像を表示させる。表示装置１は、図１に示すように、照明部２と、表示部４と、バリア部６と、制御部９とを有する。表示装置１は、照明部２、表示部４及びバリア部６が、例えば、この順で積層されている。表示システム１００は、表示装置１と、撮像部８とを有する。
【００１８】
照明部２は、例えば、バックライトである。照明部２は、表示部４に向けて面状の光を出射する照明装置である。照明部２は、例えば、光源と導光板とを有し、光源から出射された光を導光板で散乱させつつ、表示部４と対面する出射面から出射する。
【００１９】
表示部４は、画像を表示する。表示部４は、図３に示すように多数の画素が二次元配列で配置された液晶パネルである。表示部４は、照明部２から出射された光が入射する。表示部４は、各画素に入射される光を透過させるか、遮断させるかを切り替えることで、図２に示す表示面４Ｓに画像を表示させる。
【００２０】
バリア部６は、表示部４の画像が表示される表示面４Ｓ（図２参照）、つまり、照明部２と対面している面とは反対側の面に配置されている。以下の説明では、単位領域１５０の並ぶ方向を第１方向、各単位領域１５０の伸びる方向を第２方向、第１方向及び第２方向の両者に直交する方向を第３方向とする。
【００２１】
バリア部６は、図３に示すように、第２方向に伸びた単位領域１５０が、第２方向に直交する第１方向に列状に複数配置されている。バリア部６は、例えば、液晶パネルであり、単位領域１５０に部分的に電圧を印加して液晶を配向させる。単位領域１５０は、液晶を配向させることにより、図３に示すように、白抜きで示した透過領域１５１１又は黒塗りで示した遮断領域１５１２となる。このような動作により、バリア部６は、各単位領域１５０に入射される光を、光を出射する側の面（例えば、図２に示す面６Ｓ）から透過させるか、遮断させるかを切り替える。これにより、バリア部６は、第２方向において、表示部４に表示される画像を透過させる透過領域１５１１と遮断させる遮断領域１５１２とを調整する。本実施形態において、バリア部６は、視差調整部の一例である。
【００２２】
撮像部８は、画像を撮影する。撮像部８は、例えば、カメラが用いられる。バリア部６を制御して、三次元画像を表示する表示システム１００では、いわゆるヘッドトラッキング技術又はアイトラッキング技術等が利用される。ヘッドトラッキング技術又はアイトラッキング技術は、ともに撮像部８によって利用者の画像を撮影し、画像内の利用者Ｕ１の位置、例えば、利用者の顔に関する位置（例えば、顔の中央位置）を取得する技術、あるいは、利用者の眼球の位置を取得する技術を利用する。
【００２３】
制御部９は、表示装置１を含む表示システム１００の各部の動作を制御する。制御部９は、第１制御部９１と、第２制御部９２と、を含んでいる。第１制御部９１は、例えば、照明部２の点灯及び消灯や、点灯時の光量及び光の強度を制御し、表示部４に表示させる画像を制御し、バリア部６の各単位領域１５０の動作（透過・遮断）を制御する。第１制御部９１は、表示部４に表示させる画像及びバリア部６の各単位領域１５０の動作（透過・遮断）を制御することにより、三次元画像の表示を実現する。第２制御部９２は、例えば、撮像部８の撮像動作を制御し、撮像部８によって撮影した画像を解析し、画像内の利用者Ｕ１の位置を取得する。制御部９において、ちらつきを改善するという課題を解決するための必須構成要素は第１制御部９１であり、第２制御部９２は上記課題を解決するための必須構成要素ではない。例えば、撮像部８や第２制御部９２は表示装置１以外の外部装置（図示せず）が有しており、表示装置１の第１制御部９１は、これらの外部装置より利用者Ｕ１の位置情報を受け付け、照明部２の点灯等の制御に行うようにしてもよい。なお、本実施形態における制御部９は、制御部の一例である。本実施形態における第１制御部は、第１制御部の一例である。本実施形態における第２制御部は、第２制御部の一例である。
【００２４】
第１制御部９１及び第２制御部９２は、例えば、演算装置であるＣＰＵ（Ｃｅｎｔｒａｌ  Ｐｒｏｃｅｓｓｉｎｇ  Ｕｎｉｔ）と、記憶装置であるメモリとを備えたコンピュータである。第１制御部９１及び第２制御部９２は、これらのハードウェア資源を用いてコンピュータプログラムを実行することによって各種の機能を実現することもできる。具体的には、第１制御部９１及び第２制御部９２は、所定の記憶部（図示せず）に記憶されているコンピュータプログラムを読み出してメモリに展開し、メモリに展開されたプログラムに含まれる命令をＣＰＵに実行させる。そして、第１制御部９１は、ＣＰＵによる命令の実行結果に応じて、照明部２の点灯及び消灯並びに点灯時の光量及び光の強度を制御し、表示部４に表示させる画像を制御し、バリア部６の各単位領域１５０の動作（透過・遮断）を制御したりする。
【００２５】
本実施形態における第１制御部９１及び第２制御部９２による三次元画像の表示について説明する。第２制御部９２は、利用者Ｕ１の位置を取得する。例えば、第２制御部９２は、撮像部８によって取得された画像に基づいて、利用者の右眼及び左眼の位置を検出する。第１制御部９１は、利用者の右眼及び左眼の位置並びに表示装置１と右眼及び左眼の位置との距離に応じて、表示部４に表示させる右眼用画像の画素及び左眼用画像の画素それぞれの表示内容である画素表示を決定する。続いて、第１制御部９１は、利用者の右眼及び左眼の位置及び画素表示に応じて、バリア部６の各単位領域１５０の中から、光を透過させる単位領域１５０である透過領域１５１１と光を遮断させる単位領域１５０である遮断領域１５１２とを決定する。すなわち、第１制御部９１は、バリア部６の単位領域１５０を介して、右眼用画像が利用者の右眼により視認され、左眼用画像が利用者の左眼により視認されるように、バリア部６の光の透過を制御する。このようにして、表示装置１は、利用者が三次元で視認する画像を表示させる。
【００２６】
（表示部及びバリア部）
次に、表示部４及びバリア部６の構成例を説明する。図４は、表示部及びバリア部を実装したモジュールの概略断面構造を表す断面図である。図５は、表示部の画素配列を表す回路図である。図６は、カラー表示における画素の模式図である。図７は、モノクロ表示における画素の模式図である。
【００２７】
図４に示すように、表示装置１は、表示部４にバリア部６が積層される。本実施形態では、表示装置１は、表示部４とバリア部６とが接着層４１で接着されている。表示部４は、画素基板２０と、この画素基板２０の表面に垂直な方向に対向して配置された対向基板３０と、画素基板２０と対向基板３０との間に挿設された液晶層６０とを備えている。
【００２８】
画素基板２０は、回路基板としてのＴＦＴ基板２１と、このＴＦＴ基板２１の表面にマトリックス状に配設された複数の画素電極２２と、このＴＦＴ基板２１と画素電極２２との間に形成された複数の共通電極ＣＯＭＬ及び画素電極２２と共通電極ＣＯＭＬとを絶縁する絶縁層２４とを有する。ＴＦＴ基板２１には、図５に示す各画素５０の薄膜トランジスタ（ＴＦＴ；Ｔｈｉｎ  Ｆｉｌｍ  Ｔｒａｎｓｉｔｏｒ）素子Ｔｒ、各画素電極２２に画素信号を供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素５０に画像を表示するための画素信号を供給する。図５に示す画素基板２０は、マトリックス状に配列された複数の画素５０を有している。画素５０は、ＴＦＴ素子Ｔｒ及び液晶ＬＣを備えている。ＴＦＴ素子Ｔｒは、図５に示す例では、ｎチャネルのＭＯＳ（Ｍｅｔａｌ  Ｏｘｉｄｅ  Ｓｅｍｉｃｏｎｄｕｃｔｏｒ）型のＴＦＴ素子で構成されている。ＴＦＴ素子Ｔｒのソースは画素信号線ＳＧＬに接続され、ゲートは走査信号線ＧＣＬに接続され、ドレインは液晶ＬＣの一端に接続されている。液晶ＬＣは、一端がＴＦＴ素子Ｔｒのドレインに接続され、他端が共通電極ＣＯＭＬに接続されている。
【００２９】
画素５０は、走査信号線ＧＣＬにより、画素基板２０の同じ行に属する他の画素と互いに電気的に（以下同様）接続されている。走査信号線ＧＣＬは、ゲートドライバと接続され、ゲートドライバから走査信号（Ｖｓｃａｎ）が供給される。また、画素５０は、画素信号線ＳＧＬにより、画素基板２０の同じ列に属する他の画素と互いに接続されている。画素信号線ＳＧＬは、ソースドライバと接続され、ソースドライバから画素信号（Ｖｐｉｘ）が供給される。さらに、画素５０は、共通電極ＣＯＭＬにより、画素基板２０の同じ行に属する他の画素と互いに接続されている。共通電極ＣＯＭＬは、共通電極ドライバと接続され、共通電極ドライバより駆動信号（Ｖｃｏｍ）が供給される。つまり、図５に示す例では、同じ一行に属する複数の画素５０が１つの共通電極ＣＯＭＬを共有するようになっている。
【００３０】
表示部４は、ゲートドライバにより走査信号（Ｖｓｃａｎ）を、図５に示す走査信号線ＧＣＬを介して、画素５０のＴＦＴ素子Ｔｒのゲートに印加することにより、画素基板２０にマトリックス状に形成されている画素５０のうちの１行（１水平ライン）を表示駆動の対象として順次選択する。表示部４は、ソースドライバにより画素信号（Ｖｐｉｘ）を、図５に示す画素信号線ＳＧＬを介して、順次選択される１水平ラインを構成する各画素５０にそれぞれ供給する。これらの画素５０は、供給される画素信号（Ｖｐｉｘ）に応じて、１水平ラインの表示が行われるようになっている。表示部４は、駆動信号（Ｖｃｏｍ）を印加し、共通電極ＣＯＭＬを駆動する。
【００３１】
上述したように、表示部４は、走査信号線ＧＣＬを時分割的に線順次走査するように駆動することにより、１水平ラインが順次選択される。また、表示部４は、１水平ラインに属する画素５０に対して、画素信号（Ｖｐｉｘ）を供給することにより、１水平ラインずつ表示が行われる。この表示動作を行う際、表示部４は、共通電極ＣＯＭＬに対して駆動信号（Ｖｃｏｍ）を印加するようになっている。
【００３２】
図４に戻り、対向基板３０は、ガラス基板３１と、このガラス基板３１の一方の面に形成されたカラーフィルタ３２とを含む。ガラス基板３１の他方の面には、偏光板３５が配設されている。また、偏光板３５のガラス基板３１側とは反対側の面には、接着層４１によって、バリア部６が接着されている。なお、カラーフィルタ３２は画素基板２０側に形成されてもよい。
【００３３】
カラーフィルタ３２は、例えば赤（Ｒ）、緑（Ｇ）、青（Ｂ）の３色に着色されたカラーフィルタが周期的に配列されて、上述した図５に示す各画素５０にＲ、Ｇ、Ｂの３色が１組として対応付けられている。具体的には、図６に示すように、カラー画像を形成する単位となる１個の画素、すなわち単位画素５は、例えば、複数の副画素（サブピクセル）を含む。この例では、単位画素５は、Ｒを表示する副画素５０Ｒと、Ｂを表示する副画素５０Ｂと、Ｇを表示する副画素５０Ｇとを含む。単位画素５が有する副画素５０Ｒ、５０Ｂ、５０Ｇは、Ｘ方向、すなわち表示装置１の行方向に向かって配列される。カラーフィルタ３２は、ＴＦＴ基板２１の表面に対して鉛直な方向において、液晶層６０と対向する。なお、カラーフィルタ３２は、異なる色に着色されていれば、他の色の組み合わせであってもよい。
【００３４】
単位画素５は、さらに１色又は複数色の副画素を有していてもよい。表示部４がモノクロ表示のみに対応する場合、図７に示すように、モノクロ画像を形成する単位となる１個の画素、すなわち単位画素５Ｍは、画素５０（カラー画像における副画素）に相当する。単位画素５はカラー画像を表示するための基本単位であり、単位画素５Ｍは、モノクロ画像を表示するための基本単位である。
【００３５】
共通電極ＣＯＭＬは、表示部４の共通駆動電極（対向電極）として機能する。本実施形態では、共通電極ＣＯＭＬは、複数の画素電極２２に共通の板状の電極である。なお、１つの共通電極ＣＯＭＬが複数の画素電極２２（１行を構成する画素電極２２）に対応するように配置されていてもよい。共通電極ＣＯＭＬは、ＴＦＴ基板２１の表面に対して鉛直な方向において、画素電極２２に対向し、上述した走査信号線ＧＣＬが延在する方向と平行な方向に延在している。共通電極ＣＯＭＬは、駆動電極ドライバから共通電極ＣＯＭＬに交流矩形波形の駆動信号が印加されるようになっている。絶縁層２４とカラーフィルタ３２とは、シール材４０によって接着されている。ＴＦＴ基板２１の端部には、フレキシブルケーブル４２が接続されている。
【００３６】
液晶層６０は、電界の状態に応じてそこを通過する光を変調するものである。液晶層６０は、本実施形態においては、例えば、ＦＦＳ（フリンジフィールドスイッチング）又はＩＰＳ（インプレーンスイッチング）等の横電界モードの液晶が用いられるが、これに限定されるものではなく、縦電界モードの液晶を用いてもよい。例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶を用いてもよい。
【００３７】
液晶層６０と画素基板２０との間、及び液晶層６０と対向基板３０との間には、それぞれ配向膜が配設され、また、画素基板２０の下面側には入射側偏光板が配置されてもよい。
【００３８】
バリア部６は、基板１２１と、この基板１２１上方に列状に配設された複数の単位領域電極１２２と、ガラス基板１３１と、このガラス基板１３１の単位領域電極１２２側に配置された複数の駆動電極１３３と、ガラス基板１３１の他方の面に配置された偏光板１３５とが設けられている。なお、駆動電極１３３は、複数の単位領域電極１２２に共通の板状の電極としてもよい。
【００３９】
ガラス基板１３１の駆動電極１３３側の面と、基板１２１の単位領域電極１２２側の面とで挟まれた領域には、液晶層１６０が充填されている。液晶層１６０は、電界の状態に応じてそこを通過する光を変調するものである。液晶層１６０は、本実施形態においては、例えば、ＴＮ、ＶＡ、ＥＣＢ等の各種モードの液晶が用いられるが、これに限定されるものではなく、横電界モードの液晶を用いてもよい。例えば、ＦＦＳ又はＩＰＳ等の横電界モードの液晶を用いてもよい。液晶層１６０と基板１２１との間及び液晶層１６０とガラス基板１３１との間には、それぞれ配向膜が配設され、基板１２１の下面側、つまり表示部４側には入射側偏光板が配置されてもよい。
【００４０】
単位領域電極１２２は、図３に示す単位領域１５０と同様の形状であり、第１方向に沿って延在する細長い板形状である。単位領域電極１２２は、第２方向に複数列状に配置されている。
【００４１】
ガラス基板１３１と基板１２１とは、シール材１４０によって接着されている。基板１２１の端部には、フレキシブルケーブル１４２が接続されている。
【００４２】
表示部４及びバリア部６は、以上のような構成であり、制御部９からの信号に基づいて、画素電極２２及び単位領域電極１２２に印加する電圧を切り替えることで、利用者が三次元で視認する画像を表示させる。
【００４３】
（制御部による制御方法）
図８から図１２を用いて、第１制御部９１及び第２制御部９２を含む、制御部９による制御方法について具体的に説明する。図８は、本実施形態に係る制御部９による制御方法の概念を示す図である。図９は、表示部４に表示される右眼用画像の画素及び左眼用画像の画素の画素表示の一例を示す図である。図１０は、利用者の左眼により視認される視認範囲の一部を示す図である。図１１は、利用者の右眼により視認される視認範囲の一部を示す図である。図１２は、第１制御部９１による右眼用画像の画素及び左眼用画像の画素の画素表示の変更例を示す図である。
【００４４】
第２制御部９２は、撮像部８を制御して利用者Ｕ１を撮影する。第２制御部９２は、撮影部８によって撮影される利用者Ｕ１の画像に基づいて、利用者Ｕ１の位置を検出する。また、第２制御部９２は、利用者Ｕ１の画像に基づいて、利用者Ｕ１の右眼及び左眼の位置を取得する。続いて、第２制御部９２は、利用者Ｕ１の右眼及び左眼の位置と表示装置１との距離を算出する。利用者Ｕ１の右眼ＲＥ及び左眼ＬＥの位置と表示装置１（バリア部６）との距離は、例えば、利用者Ｕ１の右眼ＲＥ及び左眼ＬＥの位置とバリア部６までの、Ｚ軸方向の距離である。第２制御部９２は、例えば、表示装置１の起動時に、利用者Ｕ１の右眼ＲＥ及び左眼ＬＥの位置と表示装置１との距離を、表示部４及びバリア部６の制御を実行するための基準距離として予め算出するものとする。基準距離は、例えば、表示部４に表示される画像を視聴する際に、利用者Ｕ１自身の右眼ＲＥ及び左眼ＬＥの位置と表示装置１（バリア部６）との距離に相当する。なお、変形例として、第２制御部９２は、利用者Ｕ１の顔の所定位置（例えば、顔の中央位置）を位置情報として取得し、顔の所定位置が表示部４の画面の中央位置に対してどのような位置（例えば、画面中央に対する角度及び距離）にあるかに基づいて、バリア部６の開口領域の位置を決定するようにしてもよい。
【００４５】
続いて、第１制御部９１は、利用者Ｕ１の右眼ＲＥ及び左眼ＬＥの位置と表示装置１（バリア部６）との距離に応じて、表示部４に表示させる右眼用画像の画素及び左眼用画像の画素の画素表示を決定するとともに、利用者Ｕ１の右眼ＲＥ及び左眼ＬＥの位置及び上記画素表示に応じて、バリア部６の各単位領域１５０の中から光を透過させる領域（光を透過させる領域及び光を遮断する領域）を決定する。なお、変形例として、第１制御部９１は、用者Ｕ１の右眼ＲＥ及び左眼ＬＥの位置と表示装置１（バリア部６）との距離にかかわらず、表示部４に表示させる右眼用画像の画素及び左眼用画像の画素の画素表示を変更せずに固定してもよい。
【００４６】
例えば、図８のステップＳ１に示すように、第２制御部９２は、利用者Ｕ１の右眼ＲＥ及び左眼ＬＥの位置と表示装置１との距離“Ｄ＝ｄ１”を算出する。続いて、第２制御部９２は、算出した右眼ＲＥ及び左眼ＬＥの位置並びに距離に応じて、例えば、図８のステップＳ１に示すように、例えば、左眼ＬＥ用画像の画素Ｐ１と右眼ＲＥ用画像の画素Ｐ２とが表示部４に交互に表示されるように、画素の表示を決定する。なお、図８のステップＳ１では、左眼ＬＥ用画像の画素Ｐ１及び右眼ＲＥ用画像の画素Ｐ２を交互に表示する例を示すが、利用者Ｕ１が左眼ＬＥ及び右眼ＲＥの視差を確保できるのであれば、交互に表示する例には限定されず、どのような表示であってもよい。そして、第２制御部９２は、例えば、図８のステップＳ１に示すように、表示部４に交互に表示された左眼ＬＥ用の画素Ｐ１及び右眼ＲＥ用の画素Ｐ２のうち、左眼ＬＥ用の画素Ｐ１がバリア部６を介して利用者Ｕ１の左眼により視認され、右眼ＲＥ用の画素Ｐ２がバリア部６を介して利用者Ｕ１の右眼ＲＥにより視認されるように、バリア部６の各単位領域１５０の中から、光を透過させる領域を決定する。
【００４７】
図８に示すステップＳ１では、第１制御部９１による制御によって、図９に示すように、表示部４の表示面４Ｓに、Ｙ軸方向に左眼ＬＥ用画像の画素Ｐ１が複数表示されて構成される左眼ＬＥ用画像の画素Ｐ１の画素列、及びＹ軸方向に右眼ＲＥ用画像の画素Ｐ２が複数表示されて構成される右眼ＲＥ用画像の画素Ｐ２の画素列が、Ｘ軸方向に交互に列状に配置される。また、図８に示すステップＳ１では、第１制御部９１による制御によって、図１０に示すように、表示部４に表示される左眼ＬＥ用の画素Ｐ１がバリア部６を介して利用者Ｕ１の左眼ＬＥにより視認されるように、バリア部６（の各単位領域１５０）の中から光を透過させる領域が決定される。同様に、第１制御部９１による制御によって、図１１に示すように、表示部４に表示される右眼ＲＥ用の画素Ｐ２がバリア部６を介して利用者Ｕ１の右眼ＲＥにより視認されるように、バリア部６（の各単位領域１５０）の中から光を透過させる領域が決定される。なお、単位領域１５０の透過領域１５１１がＸ軸方向に複数並んだ領域を開口領域、遮光領域１５１２がＸ軸方向に複数並んだ領域を遮断領域と呼ぶことがある。
【００４８】
続いて、第１制御部９１は、利用者Ｕ１の右眼ＲＥ及び左眼ＬＥの位置と表示装置１との距離を算出した結果、ステップＳ１で算出した右眼ＲＥ及び左眼ＬＥの位置並びに距離と異なる場合には、表示部４における画素表示、及びバリア部６の単位領域１５０の透過及び遮断を更新する。すなわち、第１制御部９１は、利用者Ｕ１の右眼ＲＥ及び左眼ＬＥの位置と表示装置１との距離に応じて、表示部４に表示させる左眼ＬＥ用画像の画素Ｐ１及び右眼ＲＥ用画像の画素Ｐ２の画素表示を変更するとともに、バリア部６の各単位領域１５０の中から光を透過させる単位領域１５０を変更する。
【００４９】
例えば、図８のステップＳ２に示すように、第１制御部９１は、利用者Ｕ１の右眼ＲＥ及び左眼ＬＥの位置と表示装置１との距離“Ｄ＝ｄ２”を算出する。続いて、第１制御部９１は、算出した右眼ＲＥ及び左眼ＬＥの位置並びに距離に応じて、例えば、図８のステップＳ２に示すように、左眼ＬＥ用画像の画素Ｐ１及び右眼ＲＥ用画像の画素Ｐ２の画素表示を変更する。続いて、第１制御部９１は、変更された画素表示、及び利用者Ｕ１の右眼ＲＥ及び左眼ＬＥの位置に応じて、右眼ＲＥ用の画素Ｐ２がバリア部６を介して利用者Ｕ１の右眼ＲＥにより視認され、左眼ＬＥ用の画素Ｐ１がバリア部６を介して利用者Ｕ１の左眼ＬＥにより視認されるように、バリア部６の各単位領域１５０の中から光を透過させる領域を決定する。
【００５０】
図８に示すステップＳ２では、第１制御部９１による制御によって、図１２に示すように、表示部４に表示させる左眼ＬＥ用画像の画素Ｐ１及び右眼ＲＥ用画像の画素Ｐ２の画素表示を変更するとともに、バリア部６の各単位領域１５０の中から光を透過させる単位領域１５０を変更する。すなわち、図８に示すステップＳ２は、ステップＳ１の左眼ＬＥ用画像の画素Ｐ１の画素列と、右眼ＲＥ用画像の画素Ｐ２の画素列との位置が入れ替わった状態になる。このように位置を入れ替えるには、第１制御部９１による制御によって、図１２に示すように、表示部４に表示される左眼ＬＥ用の画素Ｐ１がバリア部６を介して利用者Ｕ１の左眼ＬＥにより視認されるように、バリア部６（の各単位領域１５０）の中から光を透過させる領域が変更される。同様に、第１制御部９１による制御によって、図１２に示すように、表示部４に表示される右眼ＲＥ用の画素Ｐ２がバリア部６を介して利用者Ｕ１の右眼ＲＥにより視認されるように、バリア部６（の各単位領域１５０）の中から光を透過させる領域が変更される。
【００５１】
このように、第１制御部９１は、利用者Ｕ１の右眼ＲＥ及び左眼ＬＥの位置と表示装置１（バリア部６）との距離に応じて、左眼ＬＥ用画像の画素及び右眼ＲＥ用画像の画素の画素表示を変更する。なお、第１制御部９１が、利用者Ｕ１の右眼ＲＥ及び左眼ＬＥの位置と表示装置１（バリア部６）との距離に応じて実行する画素表示の変更方法は、右眼ＲＥ及び左眼ＬＥの位置と表示装置１の位置関係などに基づいて設計段階でキャリブレーションにより予め設定しておいてもよいし、表示装置１の使用段階でリアルタイム処理により算出するようにしてもよい。また、第１制御部９１は、利用者Ｕ１の右眼ＲＥ及び左眼ＬＥの位置と表示装置１（バリア部６）との距離に応じて画素表示を変更せず、画素表示を固定にしてもよい。
【００５２】
上述したように、第１制御部９１は、利用者ＵＩの右眼ＲＥ及び左眼ＬＥの位置に応じて、バリア部６の単位領域１５０を介して、右眼ＲＥ用画像が利用者ＵＩの右眼ＲＥにより視認され、左眼ＬＥ用画像が利用者ＵＩの左眼ＬＥにより視認されるように、バリア部６の各単位領域１５０の中から光を透過させる単位領域を決定する。例えば、第１制御部９１は、画素表示を変更した後、変更した画素表示に応じてバリア部６の各単位領域１５０の中から光を透過させる単位領域を変更する。
【００５３】
（制御部による制御の流れ）
図１３を用いて、本実施形態に係る第１制御部９１による制御の流れを説明する。図１３は、本実施形態に係る第１制御部９１による制御の流れを示すフローチャートである。図１３に示す制御は、例えば、三次元画像の表示開始とともに実行される。
【００５４】
図１３に示すように、第１制御部９１は、撮像部８により取得した画像に基づいて、利用者ＵＩの右眼ＲＥ及び左眼ＬＥの位置を検出する（ステップＳ１０１）。続いて、第１制御部９１は、表示装置１と、利用者Ｕ１の右眼ＲＥ及び左眼ＬＥの位置との距離を算出する（ステップＳ１０２）。なお、表示装置１と右眼ＲＥ及び左眼ＬＥの位置との距離は、例えば、利用者Ｕ１の右眼ＲＥ及び左眼ＬＥの位置とバリア部６までの最短距離である。
【００５５】
続いて、第１制御部９１は、表示装置１と右眼ＲＥ及び左眼ＬＥの位置との距離に基づいて、表示部４に表示する右眼ＲＥ用画像の画素及び左眼ＬＥ用画像の画素の画素表示を決定する（ステップＳ１０３）。続いて、第１制御部９１は、表示装置１と右眼ＲＥ及び左眼ＬＥの位置と画素表示に基づいて、バリア部６の光の透過及び遮断を制御する（ステップＳ１０４）。すなわち、第１制御部９１は、バリア部６の各単位領域１５０の中から、光を透過させる領域と光を遮断させる領域とを決定する。
【００５６】
そして、第１制御部９１は、画像を表示中であるかを判定する（ステップＳ１０５）。第１制御部９１は、判定の結果、画像を表示中である場合には（ステップＳ１０５，Ｙｅｓ）、上記ステップＳ１０１に戻り、図１３に示す制御を継続する。一方、第１制御部９１は、判定の結果、画像を表示中ではない場合には（ステップＳ１０５，Ｎｏ）、図１３に示す制御を終了する。
【００５７】
なお、変形例として、第１制御部９１は、利用者Ｕ１の顔の所定位置（例えば、顔の中央位置）を位置情報として取得し（ステップＳ１０１）、顔の所定位置が表示部４の画面の中央位置に対してどのような位置（例えば、画面中央に対する角度及び距離）にあるかを算出し（ステップＳ１０２）、画素の画素表示を決定して（ステップＳ１０３）、バリア部６の光の透過及び遮断を制御する（ステップＳ１０４）ようにしてもよい。
【００５８】
また、利用者Ｕ１の位置の検出は、上記のステップＳ１０１のタイミングに限らず、任意のタイミングで行ってもよい。さらに、利用者Ｕ１の位置及び距離が所定の閾値以上になった場合にのみ上記のステップＳ１０３及びステップＳ１０４の処理を行い、閾値未満の場合は上記のステップＳ１０３及びステップＳ１０４の処理を行わずにステップＳ１０１に戻るとしてもよい。
【００５９】
さらに、図１４を参照し、バリア部６の構成について説明する。図１４は、バリア部の構成例を示す図である。バリア部６は、複数の単位領域によって構成される。例えば、図１４に示すように、バリア部６は単位領域１５１〜１５８を有する。バリア部６には、各単位領域１５１〜１５８に対応して、信号線１２２１〜１２２８が設けられている。信号線１２２１〜１２２８は、それぞれ対応する単位領域電極１２２に接続されている。単位領域１５１〜１５８は、信号線１２２１〜１２２８に印加される電圧値によって、光透過状態が設定される。すなわち、単位領域１５１〜１５８は、信号線１２２１〜１２２８に印加される電圧値によって、光を透過させる状態又は光を透過させない（光を遮断する）状態に設定される。
【００６０】
図１４を参照すると、バリア部６を構成する単位領域１５１〜１５８に対応する信号線１２２１〜１２２８に、電圧値を印加するドライバ回路Ｄ１〜Ｄ８が接続されている。ドライバ回路Ｄ１〜Ｄ８は、制御部９の制御によって、光を透過させる状態に設定する電圧値Ｖｌ（例えば、０（Ｖ））と、光を透過させない（光を遮断する）状態に設定する電圧値Ｖｈ（例えば、５（Ｖ））とを選択的に出力する。また、ドライバ回路Ｄ１〜Ｄ８については、制御部９内に設けられていてもよいし、バリア部６の表示領域外（いわゆる額縁部分）に設けられていてもよい。
【００６１】
図１４を参照すると、バリア部６を構成する単位領域１５１〜１５８に対応する信号線１２２１〜１２２８に、電圧値を印加するドライバ回路Ｄ１〜Ｄ８が接続されている。単位領域１５１、１５２、１５８については、ドライバ回路Ｄ１、Ｄ２、Ｄ８の出力により、光を透過させない（光を遮断する）状態に設定する電圧Ｖｈが印加される。また、単位領域１５３〜１５７については、ドライバ回路Ｄ３〜Ｄ７の出力により、光を透過させる状態に設定する電圧Ｖｌが印加される。
【００６２】
（動作例）
ここで、トラッキングを行った場合の表示装置の動作例について、図１５から図２０を参照して説明する。図１５は、トラッキングを行った場合のバリア部６の断面を模式的に示す図である。図１５は、例えば、図１４のＡ−Ａ’部の断面を模式的に示す。図１５は、バリア部６を構成する複数の単位領域のうちの一部である、単位領域１５１〜１５８を示す。
【００６３】
図１５において、単位領域１５１〜１５８は、光を透過させる状態に設定する電圧値が印加された時にＯＦＦの状態になる。このＯＦＦの状態は、図１５において白抜きとして表現されている。また、単位領域１５１〜１５８は、光を透過させない（光を遮断する）状態に設定する電圧値が印加された時にＯＮの状態になる。このＯＮの状態は、図１５において黒塗りで表現されている。
【００６４】
図１５に示す状態Ｐ１１において、単位領域１５３〜１５７には、光を透過させる状態に設定する電圧値が印加される。また、状態Ｐ１１において、単位領域１５１、１５２、１５８には、光を透過させない（光を遮断する）状態に設定する電圧値が印加される。
【００６５】
一般に、液晶は、ＯＦＦの状態からＯＮの状態に変化する速度（すなわち、立ち上がりの速度）よりも、ＯＮの状態からＯＦＦの状態に変化する速度（すなわち、立ち下がりの速度）の方が遅い。この速度に違いがあるため、両眼視差バリア方式のアイトラッキング対応の表示装置においては、トラッキング時において、図１５に示す状態Ｐ１１から状態Ｐ３１に遷移する途中に、状態Ｐ２１が存在する。状態Ｐ２１は、トラッキング前の状態である状態Ｐ１１からトラッキング後の状態である状態Ｐ３１に遷移する途中に存在する、切り替え直後の状態である。
【００６６】
状態Ｐ２１は、状態Ｐ１１よりもＯＦＦ状態の単位領域の数が少ない。このため、状態Ｐ２１では、何も対策を行わない場合には、表示装置１全体での輝度が一瞬低下し、画面が暗くなる。その後、状態Ｐ３１になり、表示装置１全体で元の輝度に回復する。つまり、画面切り替わり直後は表示面積に対する黒表示の割合が大きくなり、全体として暗く感じられる。その後、本来の表示割合となるため明るくなる。このため、何も対策を行わない場合には、輝度の変化がちらつきとして視認されることがある。
【００６７】
図１６は、トラッキングを行う際の表示装置１全体での透過率の変化の例を示す図である。図１６において、横軸は時間を示し、縦軸は単位領域に印加される電圧値又は光の透過率を示す。図１６に示すように、本例では、時刻ｔ１において、単位領域１５２への印加電圧値が、光を透過させない（光を遮断する）状態に設定する電圧値Ｖｈから光を透過させる状態に設定する電圧値Ｖｌに変化し、かつ、単位領域１５７への印加電圧値が、光を透過させる状態に設定する電圧値Ｖｌから光を透過させない（光を遮断する）状態に設定する電圧値Ｖｈに変化する。
【００６８】
図１６に示すように、例えば、状態Ｐ１１の時の表示装置１全体としての透過率（以下、全体透過率と呼ぶことがある）は、先述したように、状態Ｐ２１の時に低下する。その後、全体透過率は、ゆるやかに回復し、状態Ｐ３１になる。このように、全体透過率が急激に低下した後にゆるやかに回復すると、何も対策を行わない場合には、輝度の変化がちらつきとして視認されることがある。
【００６９】
本実施形態では、輝度変化によるちらつきの視認への対策として、透過率が低下している所定時間内に照明部２を消灯し、透過率が回復した後に照明部２を点灯する。この対策について、図１７を参照して説明する。
【００７０】
図１７は、本実施形態による、輝度変化によるちらつきの視認への対策を示す図である。図１７では、図１６における全体透過率の代わりに、照明部２の状態を示す。図１７に示す照明部２の状態は、より具体的には照明部２を点灯状態又は消灯状態に制御する制御電圧のレベルを示す。本実施形態では、制御電圧のハイレベルの期間が照明部２を点灯状態に制御する期間、ローレベルの期間が照明部２を消灯状態に制御する期間、である。
【００７１】
図１７に示すように、本実施形態では、単位領域１５７が透過状態から遮断状態への遷移を開始して透過率が低下した時刻ｔ１において照明部２を消灯し、その後の時刻ｔ２において照明部２を点灯する。つまり、本実施形態の表示装置１では、単位領域１５７が遮断状態へ遷移して全体透過率が低下している所定時間内に照明部２を消灯し、単位領域１５２が透過状態へ遷移する際に全体透過率が回復した時に照明部２を点灯する。
【００７２】
ここで、照明部２を消灯した後、照明部２を点灯するタイミングは、透過率が完全に元の状態に回復した時に限定されるものではなく、先述したちらつきが視認されなければ、透過率がある程度回復したタイミングで照明部２を点灯してもよい。
【００７３】
照明部２を消灯してから点灯するまでの時間は、ちらつきが視認されないように定める。図１８は、ちらつきが視認されないように、照明部２を消灯してから点灯するまでの時間を決定するための説明図である。図１８において、実線Ｊは透過状態から遮断状態への切り替えを行う場合の輝度の変化の例を示し、破線Ｈは遮断状態から透過状態への切り替えを行う場合の輝度の変化の例を示している。
【００７４】
図１８において、実線Ｊと破線Ｈとを参照すると、透過状態から遮断状態への切り替えを行う場合の輝度の変化の開始から、遮断状態から透過状態への切り替えを行う場合の輝度の変化の終了までの時間は、例えば、１６．６ｍｓである。
【００７５】
バリア部６を構成する単位領域１５０について、透過状態と遮断状態との切り替えを行わない場合の相対光量Ｗ１は、
Ｗ１＝１．０＊  １６．６ｍｓ＝  １６．６
となる。
【００７６】
ここで、透過状態から遮断状態への切り替えを行う場合の輝度の変化に沿った直線を１辺とし、遮断状態から透過状態への切り替えを行う場合の輝度の変化に沿った直線を他の１辺とする三角形Δを想定する。発明者が検証したところ、三角形Δの底辺に対応する時間が、例えば、１２ｍｓ以下であれば、ちらつきが視認されないことがわかった。
【００７７】
図１８において、実線Ｊが変化を開始してから、破線Ｈが変化を終了するまでの時間において、破線Ｈ中の三角形Δの部分を除いた部分は、バリア部６を構成する単位領域１５０について、透過状態と遮断状態との切り替えを行う場合の相対光量になる。この場合の相対光量Ｗ２は、
Ｗ２＝１／２  ＊  １．０  ＊１２ｍｓ＋  （１６．６−１２）  ＊  １．０
＝１０．６
となる。したがって、相対光量Ｗ１から相対光量Ｗ２を差し引いた輝度の低下量Ｂ１は、
Ｂ１＝１６．６−１０．６＝６
となる。バリア部６全体に対する相対光量Ｒは、
Ｒ  ＝  ６／  （６＊１６．６）  ＝  ６％
である。
【００７８】
このような分析の結果、バリア部６全体に対する相対光量Ｒが６％以下なら、ちらつきが視認されないことがわかる。したがって、透過状態から遮断状態への切り替えを行う単位領域が１つ（例えば、単位領域１５７）で、かつ、遮断状態から透過状態への切り替えを行う単位領域が１つ（例えば、単位領域１５２）であれば、輝度の変化が６＊６＝３６％以下程度であれば、ちらつきは視認されないことがわかる。
【００７９】
すなわち、バリア部６の単位領域１５０の透過状態と遮断状態との切り替え前後の状態からの相対光量が所定値以下の期間に照明部２を消灯しておけば、ちらつきつきが視認されない。つまり、相対光量が所定値以下に低下するタイミングで照明部２を消灯し、所定値以上に戻るタイミングで照明部２を点灯すれば、ちらつきが視認されない。発明者が検証したところ、その所定値を、全体光量の６０％とすれば、ちらつきが視認されないことがわかった。
【００８０】
したがって、第１制御部９１が、単位領域が透過状態から遮断状態への遷移を開始してから所定時間内において照明部２を消灯するように制御する際、バリア部６の単位領域１５０の透過率が変化して元に戻る場合に、その変化前後の透過率に対する、変化している時の透過率の変動の割合に基づいて、上記所定時間を設定すればよい。
【００８１】
このように、第１制御部９１が、照明部２の消灯時間を制御することにより、輝度が低下している所定時間内に照明部２を消灯するので、表示装置１全体としては、利用者ＵＩに輝度変化が視認されず、先述したちらつきは視認されないか又は軽減される。
【００８２】
図１９は、本実施形態における、表示装置による表示内容と照明部の状態との関係などを示す図である。図１９において、横軸は時間を示し、縦軸は電圧値を示す。図１９は、先述した単位領域１５２及び単位領域１５７への印加電圧値の変化と、表示装置１の表示内容の切り替えタイミングと、照明部２の状態とを示す。
【００８３】
図１９に示すように、表示装置１は、利用者Ｕ１の位置の変化を検出した場合、先述したように単位領域の切り替えを行う。単位領域の切り替えのタイミングは、例えば、表示装置１の表示内容の切り替えのタイミングと一致させる。
【００８４】
本実施形態において、表示装置１は、時刻ｔ１以前に利用者Ｕ１の位置の変化を検出したものとし、時刻ｔ１において、単位領域１５２について遮断状態から透過状態に切り替え、単位領域１５７について透過状態から遮断状態に切り替える。つまり、単位領域１５２及び１５７の切り替えが可能なタイミングは、図１９の黒塗りで示す期間である。
【００８５】
ここで、表示装置１の表示内容は複数のフレームを含む画像である。第１制御部９１は、画像のフレームが切り替わる際、例えば、表示内容の切り替えを行う期間と同じ期間に、単位領域１５２及び１５７の切り替えを行う。表示内容の切り替えを行うタイミングは、図１９の白抜きで示す期間である。
【００８６】
第１制御部９１は、１フレームの途中で利用者ＵＩの位置の変化を検出した場合、次のフレームの開始のタイミング、すなわち画像のフレームが切り替わるタイミングで、単位領域１５２及び１５７について透過状態と遮断状態とのいずれかへの設定の変更を行うことができる。
【００８７】
また、第１制御部９１は、バリア部６の制御と、表示部４の表示内容の変更と、照明部２の消灯及び点灯の制御とを、互いに同期させて行う。第１制御部９１は、照明部２を、先述したように、時刻ｔ１において消灯し、その後の時刻ｔ２において点灯する。このため、時刻ｔ１から時刻ｔ２までが、照明部２の消灯時間となる。
【００８８】
本実施形態では、時刻ｔ２の後、例えば、時刻ｔ３のように、表示装置１の表示内容である画像のフレームの切り替えのタイミングが到来することがあるが、表示装置１は、利用者ＵＩの位置の変化を検出しない限り、照明部２は消灯せず、点灯したままとする。ただし、表示装置１は、利用者ＵＩの位置の変化を検出しなくても、同タイミングで照明部２を消灯してもよい。
【００８９】
次に、以上のように照明部２を制御する第１制御部９１による処理の内容について図２０を参照して説明する。図２０は、本実施形態における制御部９による照明部２の制御処理を示すフローチャートである。
【００９０】
図２０を参照すると、第１制御部９１は、ステップＳ２０１において、利用者ＵＩの位置の変化を検出したか否かを判定する。第１制御部９１は、利用者ＵＩの位置の変化を検出したと判定すると（ステップＳ２０１，Ｙｅｓ）、ステップＳ２０２において、表示装置１による画像を構成するフレームが終了した時点、すなわち利用者ＵＩの位置の変化を検出した後に到来する１フレームの終了タイミングが到来したか否かを判定する。一方、第１制御部９１は、利用者ＵＩの位置の変化を検出していないと判定した場合（ステップＳ２０１，Ｎｏ）、ステップ２０１の処理を継続して行う。第１制御部９１は、１フレームの終了タイミングが到来したと判定すると（ステップＳ２０２，Ｙｅｓ）、ステップＳ２０３において、単位領域１５０について切り替えを行い、透過領域１５１１による開口領域及び遮光領域１５１２による遮断領域の位置を移動させる。第１制御部９１は、１フレームの終了タイミングが到来していないと判定した場合（ステップＳ２０２，Ｎｏ）、ステップ２０２の処理を継続して行う。
【００９１】
第１制御部９１は、右眼及び左眼の位置の変化を検出した場合において、表示装置と右眼及び左眼の位置との距離が変化しないか三次元画像の表示に影響のない所定範囲内の距離の変化であれば、右眼及び左眼の位置の変化前後において複数並んだ単位領域１５０による光の透過率が一定になるように、透過領域１５１１による開口領域及び遮光領域１５１２による遮断領域の幅を維持しつつ、開口領域及び遮断領域の位置を移動させる。この場合、第１制御部９１は、表示装置と右眼及び左眼の位置との距離は変化していないか、変化していても所定範囲内であれば、右眼及び左眼の位置の変化前後において複数の単位領域１５０による光の透過率が一定になるように、複数の単位領域１５０を透過状態と遮断状態とのいずれか一方に設定する。つまり、表示装置と右眼及び左眼の位置との距離が所定範囲内であれば、第１制御部９１は、利用者ＵＩの位置の変化の前後において、透過領域１５１１による開口領域及び遮光領域１５１２による遮断領域の幅を一定とする。
【００９２】
第１制御部９１は、透過領域１５１１による開口領域及び遮光領域１５１２による遮断領域の位置を移動させた後、ステップＳ２０４において、照明部２を消灯する。第１制御部９１は、ステップＳ２０５において、照明部２を消灯してから所定時間が経過したか否かを判定する。第１制御部９１は、所定時間が経過したと判定すると（ステップＳ２０５，Ｙｅｓ）、ステップＳ２０６において、照明部２を点灯する。一方、第１制御部９１は、所定時間が経過していないと判定した場合（ステップＳ２０５，Ｎｏ）、ステップ２０５の処理を継続して行う。
【００９３】
以上のように、単位領域が透過状態から遮断状態への遷移を開始してから所定時間内において、第１制御部９１が照明部２を消灯することにより、先述したちらつきは視認されないか又は軽減される。
【００９４】
［２．適用例］
次に、図２１及び図２２を参照して、実施形態で説明した表示装置１の適用例について説明する。図２１及び図２２は、本実施形態に係る表示装置１を適用する電子機器の一例を示す図である。本実施形態及び変形例に係る表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態及び変形例に係る表示装置１は、外部から入力された映像信号あるいは内部で生成した映像信号を、画像あるいは映像として表示するあらゆる分野の電子機器に適用することが可能である。
【００９５】
（適用例１）
図２１に示す電子機器は、本実施形態及び変形例に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係る表示装置１である。
【００９６】
（適用例２）
図２２に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態及び変形例に係る表示装置１である。
【００９７】
以上、実施形態及び電子機器への適用例を挙げて本技術を説明したが、本技術はこれらの実施形態等には限定されず、種々の変形が可能である。例えば、上記実施形態等では、表示装置１の制御部９が、第１制御部９１及び第２制御部９２を含む場合について説明したが、この場合に限らず、表示装置１の制御部９が、第１制御部９１のみを含んでいてもよい。
【００９８】
また、利用者Ｕ１の位置を取得する方法として、利用者の画像を撮影する場合に限らず、赤外線センサ、ＲＦＩＤ（Ｒａｄｉｏ  Ｆｒｅｑｕｅｎｃｙ  ＩＤｅｎｔｉｆｉｃａｔｉｏｎ）及びリーダ、ＩＣタグ及びリーダを用いた方法、マイクロフォンなどに基づいて位置を特定する方法、を利用してもよいし、これらを組み合わせて利用してもよい。
【００９９】
上記実施形態等では、開示例として液晶表示装置の場合を例示したが、その他の適用例として、ＥＬ（Ｅｌｅｃｔｒｏ  Ｌｕｍｉｎｅｓｃｅｎｃｅ）表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【０１００】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１０１】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１０２】
１  表示装置
２  照明部
４  表示部
６  バリア部
８  撮像部
９  制御部
９１  第１制御部
９２  第２制御部
１００  表示システム
【図１】
2015225175.tif 000003
【図２】
2015225175.tif 000004
【図３】
2015225175.tif 000005
【図４】
2015225175.tif 000006
【図５】
2015225175.tif 000007
【図６】
2015225175.tif 000008
【図７】
2015225175.tif 000009
【図８】
2015225175.tif 000010
【図９】
2015225175.tif 000011
【図１０】
2015225175.tif 000012
【図１１】
2015225175.tif 000013
【図１２】
2015225175.tif 000014
【図１３】
2015225175.tif 000015
【図１４】
2015225175.tif 000016
【図１５】
2015225175.tif 000017
【図１６】
2015225175.tif 000018
【図１７】
2015225175.tif 000019
【図１８】
2015225175.tif 000020
【図１９】
2015225175.tif 000021
【図２０】
2015225175.tif 000022
【図２１】
2015225175.tif 000023
【図２２】
2015225175.tif 000024